(57)【要約】【課題】  感電に対する危険性を軽減もしくはなくすことができることに加えて、動きやすくて安価に製造できるようにする。【解決手段】  上着又は下着の少なくとも一方を、人体Ｂの一部又は全体に密着するように、伸縮性を有する生地１で形成し、該生地１を、導電性繊維２で織成して、或いはその一部に導電性繊維２を織り込んで構成し、さらに、該生地１に、充電部Ｖが近接しているか否かを検知する検電センサＳ１〜Ｓ４を設けて、作業者Ｂに対して注意喚起する。【選択図】図１
2010024597.tif 000002
【特許請求の範囲】
【請求項１】
上着又は下着の少なくとも一方が、人体（Ｂ）の一部又は全体に密着するように、伸縮性を有する生地（１）で形成され、該生地（１）は、導電性繊維（２）で織成されて、或いはその一部に導電性繊維（２）が織り込まれて構成されることを特徴とする感電防止用着衣。
【請求項２】
前記生地（１）は、充電部（Ｖ）が近接しているか否かを検知する検電センサ（Ｓ１〜Ｓ４）が設けられることを特徴とする請求項１に記載の感電防止用着衣。
【請求項３】
前記生地（１）は、人体（Ｂ）の手首又は胴部の少なくとも一方に密着するよう構成されることを請求項１又は２に記載の感電防止用着衣。
【発明の詳細な説明】
【技術分野】
【０００１】
本発明は、充電部が人体に接触することによって起きる感電事故を軽減もしくはなくすための感電防止用着衣に関する。
【背景技術】
【０００２】
従来より、高圧電線における活線作業や近接作業をする場合、又は低圧電線における活線作業をする場合、作業者は絶縁手袋や必要により絶縁服を着用して前記作業を行っているが、例えば絶縁手袋又は絶縁服から臨出している箇所が、露出している充電部に誤って接触したり、又は停電状態と誤り絶縁手袋や絶縁服を未着用で充電部に接触したりして感電する場合があることが問題になっている。
【０００３】
ところで、落雷からの感電を防止するための着衣として、全身を覆う一体型の着衣で、導電性の織布に、導電線を網目状に分布させて構成された着衣を形成し、各導電線を一纏めにしてアース線に接続すると共に、該アース線に接地棒を接続して接地する感電防止用着衣が公知になっている。この感電防止用着衣によれば、落雷した際の雷電流を、導電性の着衣から接地棒を介して地面に流すようにして、落雷による感電を防止している（例えば特許文献１）。
【０００４】
また、前記と同様に、全身を覆う一体型の着衣で、導電性繊維で織成された外側導電層及び内側導電層と、当該両導電層の間に設けられた絶縁性の織布で形成された中間絶縁層と、両導電層を接続した一本の導電線とで構成された感電防止用着衣が公知になっている。この感電防止用着衣によれば、両導電層を一本の導電線で接続することによって、内側導電層の全体の電位と外側導電層の導通点を等電位にし、人体に対する電位差をなくす一方、落雷した際の雷電流を外側導電層のみに流し、この際に生じる外側導電層の放電点と内側導電層との電位差を中間絶縁層によって絶縁することで、人体の安全性を確保するようにしている（例えば特許文献２）。
【０００５】
【特許文献１】実開昭５９−１１７６１６号公報
【特許文献２】特許登録第２９９４５２１号
【発明の開示】
【発明が解決しようとする課題】
【０００６】
従来より使用されている絶縁手袋や絶縁服だけでは、充電部との接触を完全に回避することが難しく、また、これらの絶縁服や絶縁手袋の着用時以外で、不注意に充電部と接触した場合の感電事故を抑制するのが困難になっているのが現況である。
【０００７】
そして、上述した、前者の公報の感電防止用着衣を着用して高圧活線作業や高圧近接作業又は低圧活線作業を行うことも考えられるが、導電性の着衣が密着せずに作業者の全身を覆っているので、導電性の着衣の上に絶縁服を重ねて着用すると、動くたびに不自然に膨らんだり突っ張ったりして、動きづらく作業性が悪いという問題がある。
【０００８】
また、前記と同様に、後者の公報の感電防止用着衣を着用して前記作業を行うことも考えられるが、落雷からの感電を防止するには好適ではあるものの、当該着衣が、外側導電層、内側導電層、及び該両導電層の間に設けられた中間絶縁層の三相構造であるため、その分嵩張ると共に、重量も大きくなり、前者の公報の着衣と同様に、作業がしづらくなる。一方、着衣を作製する費用が高くなるという問題がある。
【０００９】
そこで、本発明は、上記問題点を鑑み、感電に対する危険性を軽減もしくはなくすことができることに加えて、動きやすくて安価に製造できる感電防止用着衣を提供することを目的とする。
【課題を解決するための手段】
【００１０】
前記課題を解決するために、本発明に係る感電防止用着衣は、上着又は下着の少なくとも一方が、人体Ｂの一部又は全体に密着するように、伸縮性を有する生地で形成され、該生地１は、導電性繊維２で織成されて、或いはその一部に導電性繊維２が織り込まれて構成されることを特徴とする。
【００１１】
この場合、着衣Ａが人体Ｂに密着しているので、この着衣Ａの上に絶縁服を着用したとしても、嵩張りや突っ張り感がなく、動きやすくて作業性を低下させることはない。また、導電性繊維２で伸縮性を有する生地１全体を形成したり、既製の合成繊維で伸縮可能に織成された生地１の一部に導電繊維２を織り込んだりしてもよく、何れの場合も着衣Ａを簡単に作製できる。そして、充電部Ｖが導電性の着衣Ａ又は人体Ｂのいずれに接触しても、該接触箇所からの感電電流が着衣Ａと人体Ｂとに分散されて流れるようになるので、人体Ｂに対する損傷を軽減もしくはなくすことができる。
【００１２】
また本発明によれば、前記生地１に、充電部Ｖが近接しているか否かを検知する検電センサＳ１〜Ｓ４を設けるような構成を採用することもできる。
【００１３】
この場合、充電部Ｖが近接しているか否かの状態を検電センサＳ１〜Ｓ４で検知できるので、作業者Ｂはその危険性を予知できると共に、充電部Ｖとの接触を回避できるようになる。この検電センサＳ１〜Ｓ４としては、充電部Ｖが接近することによって人体Ｂに流れる微少電流の変化を検知できるように構成すればよく、簡単に作製できる。
【００１４】
また本発明によれば、前記生地１を、手首又は胴部の少なくとも一方に密着するような構成を採用することもできる。
【００１５】
この場合、例えば充電部Ｖとの接触が生じやすい指先、又は充電部Ｖが近接していても気付くことが少ない腰部から、感電電流が流れたとしても、生地１が手首や胴部に密着しているので、感電電流を生地１及び人体Ｂ、もしくは生地１を通って大地に流すことができる。また、絶縁手袋又は絶縁服の隙間から露出する手首、臓器が集中している腹部においても感電電流による損傷を軽減もしくはなくすことができる。
【発明の効果】
【００１６】
以上のように、本発明によれば、伸縮性を有する生地を、導電性繊維で織成したり、その一部に導電性繊維を織り込んだりするようにして、導電性の着衣を形成したので、簡単且つ安価に製造できる。また、該着衣の伸縮性によって人体に密着することになり、動きやすくて、作業性を向上できる効果がある。
【発明を実施するための最良の形態】
【００１７】
以下、本発明の実施形態に係る感電防止用着衣について、図１〜図５を参照しつつ説明する。なお、図１〜図５において、本発明の感電防止用着衣は、当該着衣の上に絶縁手袋又は絶縁服を重ねて着用することを前提としており、当該絶縁手袋又は絶縁服は省略して感電防止用着衣のみを図示している。また、以下「感電防止用着衣」を単に「着衣」と、「作業者」を「人体」と、「高圧電線」又は「低圧電線」を「充電部」と表現したりする場合もある。
【００１８】
（実施形態１）
本実施形態１の感電防止用着衣について、図１を参照して説明する。該感電防止用着衣Ａは、例えばナイロンやポリエステルで構成される合成繊維で、伸縮性を有する網状の生地１を形成し、該生地１の織り目１ａに導電性繊維２を織り込むようにし、上下一体型の着衣を構成している。この着衣Ａは、作業者Ｂの頸、左右の両肩、両腕、手首、胴部（胸部、背部、腰部、腹部を含む）、臀部、両足、足首に密着し、且つこれら各部位の動きに対して伸縮するので、絶縁服を重ねて着用したとしても、嵩張りや突っ張り感がなく、作業性を低下させることはない。なお、導電性繊維２としては、金、銀、銅、アルミ、カーボンなどの繊維が選択される。
【００１９】
そして、着衣Ａの左右の両袖口及び両肩口のそれぞれに、充電部（本実施形態では高圧電線）Ｖが作業者（人体）Ｂに近接した場合に、その状況を検知する検電センサＳ１〜Ｓ４が取り付けられている。この検電センサＳ１〜Ｓ４は、既製の検電器Ｋを応用したもので、人体Ｂが充電部Ｖに近接した場合に、人体Ｂと充電部Ｖ間の静電容量の変化を検知するように構成されている。
【００２０】
ここで既製の検電器Ｋの構成について簡単に説明する。この検電器Ｋは、静電力を利用して指示するよう構成されており、例えば内部に、絶縁物を挟んで対向配置された一対の金属泊を設けている（図示せず）。そして、図５に示すように、作業者Ｂが検電器Ｋを把持した状態で、該検電器Ｋを充電状態の高圧（低圧）電線Ｖに近接させ、検電器Ｋを通して人体Ｂに微弱電流が流れるようになる。検電器Ｋは、この微弱電流を検知するように構成されている。図５の回路図は、作業者Ｂが検電器Ｋを把持した状態で、充電状態の高圧（低圧）電線Ｖに近接した場合において、充電状態の高圧（低圧）電線Ｖ−作業者Ｂ−大地Ｇ間を模式的に等価回路で図示したもので、図中のＲ１は検電器Ｋ内部の抵抗、Ｃ１は検電器Ｋ内部の素子と人体Ｂとの間の静電容量、Ｒ２は人体Ｂの内部抵抗、Ｃ２は人体Ｂと大地Ｇの間の静電容量、Ｐは充電部Ｖとの対地電位を示す。
【００２１】
そして、本実施形態１の検電センサＳ１〜Ｓ４も、前記検電器Ｋと同様に、絶縁物と、該絶縁物を挟んで対向配置された一対の金属泊とを容器内部に備え、充電部Ｖと着衣Ａとの間に誘起される静電誘導電圧によって、両金属泊間に流れる微弱な電流を検知するように構成されている。なお、検電センサＳ１〜Ｓ４を着衣Ａに取り付ける手段としては、面ファスナや留め具（フック、ボタン、スナップなど）などを利用して取り付けるようにする。
【００２２】
そして、作業者Ｂが着衣Ａを着用した状態で、高圧（低圧）活線作業や高圧（低圧）近接作業を行った場合において、充電状態の高圧（低圧）電線Ｖ−作業者Ｂ−大地Ｇ間を模式的に等価回路で図示すると、図１に示すようになる。図中のＣａは高圧（低圧）電線Ｖと人体（検電センサＳ１〜Ｓ４）Ｂ間の大気中の静電容量、Ｃｓは検電センサＳ１〜Ｓ４の静電容量、Ｒｓは検電センサＳ１〜Ｓ４内部の回路抵抗、Ｒｏは人体Ｂと着衣Ａの合成抵抗、Ｃ２は人体Ｂと大地Ｇの間の静電容量を示す。
【００２３】
なお、前記実施形態１の場合、検電センサＳ１〜Ｓ４の取付箇所は図示に限定されるものではなく、適宜変更可能である。例えば、着衣Ａにおいて、腰部に密着する部位に取り付けてもよく、足の太ももや足首に密着する部位に取り付けてもよい。また、絶縁服、ヘルメット、安全ベルト、安全靴、工具袋に取り付けてもよく、導電性を有する工具に設けるようにしてもよい。但し、安易に検電センサの数を増やすのではなく、安全性を重視しつつ作業性が低下することがないように、取付箇所及び取付数を選択する必要がある。
【００２４】
（実施形態２）
つぎに本実施形態２に係る感電防止用着衣について図２を参照して説明する。同図において前記実施形態１と異なる点は、着衣Ａに接地線Ｅを取り付けて、着衣Ａを接地線Ｅを介して大地Ｇに接地した点であり、人体Ｂに流れる感電電流をできる限り着衣Ａから大地Ｇに流すようにしている。図中のＣａは高圧（低圧）電線Ｖと人体（検電器）Ｂ間の大気中の静電容量、Ｃｓは検電センサＳ１〜Ｓ４の静電容量、Ｒｓは検電センサＳ１〜Ｓ４の内部の回路抵抗、Ｒｏは人体Ｂと着衣Ａの合成抵抗を示す。
【００２５】
（実施形態３）
つぎに本実施形態３に係る感電防止用着衣について図３を参照して説明する。同図において前記実施形態１と異なる点は、着衣Ａに接地線Ｅを取り付けると共に、該接地線Ｅに流れる微少電流を検知するセンサ、及び検知された電流値に基づいて危険レベルを判定して作業者Ｂに報知する警報器Ｄを取り付けた点であり、充電部Ｖが接近している状態を作業者Ｂに対して注意喚起を促すのに有効である。図中のＣａは高圧（低圧）電線Ｖと人体（警報器Ｄ内部のセンサ）Ｂ間の大気中の静電容量、Ｒｏは人体Ｂと着衣Ａの合成抵抗、Ｒｄは警報器Ｄの内部の回路抵抗を示す。
【００２６】
警報器Ｄの構成としては、例えば人体Ｂ、接地線Ｅを介して流れる微少電流値を検知するセンサと、該検知電流の判定レベルを「注意」、「要注意」、「危険」の３段階に分けて判断する判定手段と、各判定レベルに応じて報知する警報手段とを備える。警報の内容としては、「注意」の場合はバイブレーションで、「要注意」の場合はバイブレーション＋音声によって、「危険」の場合はバイブレーション＋ブザーで、作業者Ｂに報知する。
【００２７】
なお、警報器Ｄの構成は限定されるものではなく適宜設計変更可能である。例えば上記構成に加えて、ＬＥＤの点滅作用を付加させてもよい。また作業車の運転席において、作業状態を車載モニタや携帯電話の画面で監視できるように小型の撮像装置を設置し、運転席で待機中の監視者から、高所の作業現場において、充電部Ｖに近接している作業者Ｂに対してブザーなどで注意喚起できるように構成された、データ送受信機能を有する警報器としてもよい。
【００２８】
なお、上記実施形態１〜３の場合、着衣Ａの上に絶縁服を重ねて着用することを前提としたが、絶縁服の裏側に着衣Ａを一体化して着用するようにしてもよく、絶縁服を着用せずに着衣Ａのみを着用するようにしてもよい。また、図４（ａ）に示すように、上着のみの感電防止用着衣Ａ１としてもよい。この場合、人体Ｂの手首及び腰部に対して、メリヤス編みする等して密着させてもよい。また、図４（ｂ）に示すように、下着のみの感電防止用着衣Ａ２としてもよい。この場合、人体Ｂの腰部のみに対して着衣Ａ２を密着させるようにしてもよい。
【図面の簡単な説明】
【００２９】
【図１】本発明の実施形態１に係る感電防止用着衣と、充電状態の高圧（低圧）電線−作業者−大地間を模式的に図示した等価回路とを示した図。
【図２】本発明の実施形態２に係る感電防止用着衣と、充電状態の高圧（低圧）電線−作業者−大地間を模式的に図示した等価回路とを示した図。
【図３】本発明の実施形態３に係る感電防止用着衣と、充電状態の高圧（低圧）電線−作業者−大地間を模式的に図示した等価回路とを示した図。
【図４】（ａ）は上着のみの感電防止用着衣を示し、（ｂ）は下着のみの感電防止用着衣を示した図。
【図５】既製の検電器の一般的な使用態様と、充電状態の高圧（低圧）電線−作業者−大地間を模式的に図示した等価回路とを示した図。
【符号の説明】
【００３０】
１…生地、１ａ…織り目、２…導電性繊維、Ａ…感電防止用着衣（着衣）、Ｂ…作業者（人体）、Ｄ…警報器、Ｅ…接地線、Ｇ…大地、Ｋ…検電器、Ｓ１〜Ｓ４…検電センサ、Ｐ…充電部と大地間の電位、Ｃａ…高圧（低圧）電線Ｖと人体（検電センサＳ１〜Ｓ４）Ｂ間の大気中の静電容量、Ｃｓ…検電センサＳ１〜Ｓ４の静電容量、Ｃ２…人体Ｂと大地Ｇの間の静電容量、Ｒｏ…人体Ｂと着衣Ａの合成抵抗、Ｒｓ…検電センサＳ１〜Ｓ４内部の回路抵抗、Ｒｄ…警報器Ｄの内部の回路抵抗
【図１】
2010024597.tif 000003
【図２】
2010024597.tif 000004
【図３】
2010024597.tif 000005
【図４】
2010024597.tif 000006
【図５】
2010024597.tif 000007